(57)【要約】      （修正有）【課題】電波の遮断、漏洩防止ならびに移送時における損傷防止を両立させる携帯端末の保管・移送ＢＯＸを提供する。【解決手段】電波を遮断する軟質素材で形成した袋状の保管袋１に携帯端末３を挿入した状態で、所定の強度を備える保管箱の収納部に収納し、保管箱の蓋９を閉じることにより、保管箱に形成した押圧部７Ａ、７Ｂと嵌め溝８Ｃ、８Ｄにより保管袋の開口部を圧接させて電波漏洩を防止するとともに、移送時における端末の損傷防止を両立させる。【選択図】図１
0003220971.tif 000002
【実用新案登録請求の範囲】
【請求項１】
電波を利用して通信する携帯端末を保管・移送する保管箱に関し、携帯端末の電波を遮断する軟質素材で形成する袋状の開口部から端末を挿入した保管袋を保管箱の収納部に収納し、保管箱の蓋を閉じることにより、保管箱に形成する押圧部材により保管袋の開口部を押圧して圧接させることにより、開口部からの電波漏洩を防止するとともに、保管箱内における携帯端末の移動を阻止して端末の損傷を防ぐことを特徴とする携帯端末保管・移送ＢＯＸ。
【請求項２】
携帯端末の電波を遮断する軟質素材で形成し、プレートを装着した袋状の保管袋に端末を挿入した状態で保管箱の収納部に収納し、保管箱の蓋を閉じることにより、保管箱に形成する押圧部材により保管袋の開口部を押圧して圧接させて開口部からの電波漏洩を防止するとともに、プレートの移動を規制する構造により携帯端末の移動を阻止して端末の損傷を防ぐことを特徴とする、請求項１に記載する携帯端末保管・移送ＢＯＸ。
【考案の詳細な説明】
【技術分野】
【０００１】スマートホン、タブレットなどの携帯端末は電源を切らずに保管すると、端末は常時着信可能な状態のため保管中に着信して電池の消耗が激しくなったり、悪意の有る発信者によってウイルスに感染させられたり、さらには携帯端末を運送業者に配送して貰う場合などに輸送中に着信音が鳴るなど種々の課題が指摘されているため、保管・移送中において万一電源を切り忘れた場合においても着信を拒否できると共に、移動によって携帯端末を損傷させない簡易な保管・移送ＢＯＸが求められている。
【背景技術】
【０００２】携帯端末を保管・移送する場合は電源を切るのが一般的であり、電源を切り忘れた場合において着信を拒否するためには、端末を電波を遮断する素材で形成した保管箱内に収納したり、電波を遮断する素材で形成した保管袋に収納する必要があるが、保管・移送に着目した、電波の遮断、漏洩防止、ならびに移送時における端末の損傷防止を両立させる簡易な保管・移送ＢＯＸは提案されていない。
【考案が解決しようとする課題】
【０００３】携帯端末を保管・移送する場合に、電源を切り忘れた場合においても着信を拒否するためには電波を遮断する素材で形成した保管箱内に収納したり、電波を遮断する素材で形成した袋状の保管袋に収納する必要があるが、携帯端末に利用されている電波は波長１ｍ〜１０ｃｍ、周波数３００ＭＨｚ〜３ＧＨｚのＵＨＦ帯であり、狭い隙間からも漏洩するため、箱形状での電波遮断、漏洩防止はかなり困難であり、袋形状での構成は電波遮断、漏洩防止は容易であるが移送による端末の損傷に難点が有るなど、それぞれに課題を有しているため、電波の遮断、漏洩防止ならびに移送時における端末の損傷防止を両立させる保管・移送ＢＯＸが求められている。
【課題を解決するための手段】
【０００４】電波を遮断する軟質素材で形成した袋状の保管袋に携帯端末を挿入した状態で、所定の強度を備える保管箱の収納部に収納し、保管箱の蓋を閉じることにより、保管箱に形成する押圧材により保管袋の開口部を圧接させて電波漏洩を防止するとともに、移送時における端末の損傷防止を両立させる。
【考案の効果】
携帯端末に利用されている波長１ｍ〜１０ｃｍ、周波数３００ＭＨｚ〜３ＧＨｚのＵＨＦ帯電波を６０ｄＢ以上減衰させる素材により保管袋を形成し、操作性を高めるために端末の挿抜口は開口とし、端末を挿入した状態で開口部を折返して収納箱に収納し、収納箱の蓋を閉じることにより、収納箱に構成される押圧構造によって開口部が圧接され電波漏洩が防止されるとともに、保管袋の移動が阻止されることにより保管箱内における端末の移動が防がれて移送時における端末の損傷が防止される。
【考案を実施するための形態】
【０００５】図１は本考案に基づく携帯端末の保管・移送ＢＯＸの一実施例を示す。保管箱は樹脂材など適切な強度を保つ素材で形成し、９は上蓋、１０は下蓋を示す。保管箱には周波数３００ＭＨｚ〜３ＧＨｚのＵＨＦ帯の電波を６０ｄＢ以上減衰させる軟質素材で形成する保管袋１に携帯端末を挿入した状態で、端末の挿抜口を折り返して保管箱の収納部に収納する。５は保管袋１の挿抜開口を折り返した状態を示している。折り返し部５は保管箱の押圧構造７Ｂの上に載せられ、上蓋９を閉じることにより押圧構造７Ａで押圧され、保管袋の開口部における電波漏洩は阻止される。図１に記載する保管袋は袋の両側辺に所定サイズのプレート６が装着されており、プレートは保管箱の溝８Ｄ，８Ｃ内に嵌る寸法で構成することにより、保管箱の蓋を閉じた状態では溝に嵌ったプレートにより保管袋の移動を阻止し、保管袋の中の携帯端末の移動も阻止され移送時における端末の損傷が防止される。
【０００６】図２は保管箱の押圧構造８Ａ，８Ｂにより保管袋１のプレート６を押圧することにより、保管箱の蓋を閉じた状態ではプレートが保管袋の移動を阻止し、保管袋の中の携帯端末の移動も阻止され移送時における端末の損傷が防止される構成例を記している。
【０００７】図３、図４は保管袋の構成例を示し、図３はプレートを備えない構成例、図４は保管袋の両側辺にプレートを備える構成例を示している。１は保管袋、２は携帯端末挿抜のための開口部、３は携帯端末、４は開口の折り返し位置、５は開口の折り返し部、６はプレートを示す。保管袋は電波の漏洩を防ぐために、軟質の素材により開口部以外の端辺の全てを折り返しで形成することが望ましく、安易に縫製やリベットで端辺を接続構成することは推奨できないとともに、多様なサイズの携帯端末に弾力的に対応するため、プレートの装着は挿入口と対抗する辺を避ける。
【実施例】
【０００８】保管袋は厚さ０．３ｍｍ、ポリエステル＋軟質磁性金属メッキ処理のシート材、１００ＫＨｚ〜５ＧＨｚにおける電波遮断は２０ｄＢ以上の素材を３枚重ねて構成した。スマートホンのサイズを考慮して、１３０×２１０ｍｍの袋形状に形成し、短辺の片側を開口、対向短辺を折り返し、長辺をそれぞれ１５ｍｍ折り返して１０×１６０×２ｍｍのＡＢＳ樹脂プレートで挟んで留め、開口部以外は３辺とも折り返しで形成している。保管箱はビニール材で外筐を形成し、１４０×２２０×２５ｍｍとし、押圧材はスポンジゴムを採用した。保管袋の素材は電磁波を吸収、遮断するシートで、所定の周波数帯域で所要の減衰特性を有する素材を採用する。【０００９】本構成は操作性を重視して、保管袋の開口部はクリップなどの部品を使用せずに開口部を圧接して封止する方法を採用しており、開口部を携帯端末の下に折り返して敷いて携帯端末に重ねて保管箱で押圧することも出来るとともに、全く折り返さずに保管箱の押圧材で確実に圧接することも出来る。なお、保管袋、保管箱の素材、適応する電波周波数、電波遮断度などはサービスされる電波周波数や強度などに応じて、それぞれに適した素材を適用するなど、本考案の趣旨を逸脱しない範囲であれば機能、性能、構成、素材、デイメンジョンなどは種々変形実施が可能である。
【図面の簡単な説明】
【００１０】
【図１】本考案による携帯端末保管・移送ＢＯＸの構成概念図を示す
【図２】本考案による携帯端末保管・移送ＢＯＸの構成概念図を示す
【図３】本考案によるプレート未装着の保管袋の構成概念図を示す  （１）保管袋の開口で携帯端末の挿抜を示す  （２）携帯端末が保管袋内を示す  （３）保管袋の開口を折り返さない状態を示す
【図４】本考案によるプレートを備える保管袋の構成概念図を示す  （１）保管袋の開口で携帯端末を挿抜を示す  （２）携帯端末が保管袋内を示す  （３）保管袋の開口を折り返した状態を示す
【符号の説明】１．保管袋
２．保管袋の開口
３．携帯端末
４．開口折り返し位置
５．開口折り返し部
６．プレート
７Ａ  保管袋開口押圧部
７Ｂ  保管袋開口押圧部
８Ａ  保管袋プレート押圧部
８Ｂ  保管袋プレート押圧部
８Ｃ  保管袋プレート嵌め溝
８Ｄ  保管袋プレート嵌め溝
９．  保管箱上蓋
１０．保管箱下蓋
【図１】
0003220971.tif 000003
【図２】
0003220971.tif 000004
【図３】
0003220971.tif 000005
【図４】
0003220971.tif 000006